(57)【特許請求の範囲】
【請求項１】
初期同期を用いて所望の搬送周波数を有するアナログ信号を受信する受信器、特にＧＳＭ受信器であって、
基準周波数を有する基準信号を生成する基準発振器と、
可変周波数分周回路を有しており、前記基準発振器で生成された前記基準信号に基づいて、ローカル周波数を生成するフェーズロックループであって、前記ローカル周波数は前記所望の搬送周波数に少なくともほぼ一致する、フェーズロックループと、
前記ローカル周波数を前記所望の搬送周波数と混合することによって、混合信号を生成するミキサと、
第１コントロール信号を前記基準信号に従って生成するタイマと、
前記第１コントロール信号によって予め決定された予想受信時点から始まる前記混合信号を受信してデジタル化するＡ／Ｄコンバータと、
前記デジタル化された混合信号を受信して、出力信号を生成するスキュー検出器であって、前記出力信号は前記受信信号の予想受信時点と実際の受信時点間のスキューを表わす、スキュー検出器と、
を備え、
前記スキューが所定のしきい値を超えるかどうかを確認して対応する情報信号を出力するために、前記スキュー検出器の出力信号を受信する比較器と、
補正基準周波数を算出して、第２コントロール信号の形でＤ／Ａコンバータを介して前記基準発振器に出力するとともに、補正分周比を算出して、第３コントロール信号の形で、前記可変周波数分周回路に出力することにより、前記基準発振器は前記補正基準周波数に設定され、前記周波数分周回路は前記補正分周比に設定されるようにし、前記補正基準周波数と前記補正分周比の算出と出力は、前記スキューが前記情報信号に従って前記しきい値を超えるときにのみ行われる、評価器と、
が設けられており、
前記補正分周比による前記可変周波数分周回路の補正と、前記補正基準周波数による前記基準発振器の補正は、前記フェーズロックループで生成されている前記ローカル周波数が変化しないように、それぞれ反対方向に行われる、ことを特徴とする受信器。
【請求項２】
請求項１に記載の受信器であって、
前記スキュー検出器の出力信号に従って調整信号を生成することによって、前記スキューを補償して、前記調整信号を前記タイマに出力する時間調整器を設けることを特徴とする受信器。
【請求項３】
請求項２に記載の受信器であって、
前記時間調整器は、前記評価器によって出力された第２コントロール信号を受信して、それを、前記調整信号を生成するときに、考慮に入れることを特徴とする受信器。
【請求項４】
請求項１から３のいずれかに記載の受信器であって、
前記ローカル周波数と前記受信信号の搬送周波数間の周波数オフセットを表わす出力信号を生成する周波数オフセット検出器と、前記周波数オフセット検出器の出力信号と前記第２コントロール信号に応じて第２調整信号を生成することによって、この周波数オフセットを補償して、各々の事前設定基準周波数を調整するために、前記第２調整信号を前記Ｄ／Ａコンバータを介して前記基準発振器に出力する周波数調整器とを設けることを特徴とする受信器。
【請求項５】
請求項１から４のいずれかに記載の受信器であって、
前記受信信号の予想受信時点と実際の受信時点は、前記受信信号のテストシーケンスを参照して定義されることを特徴とする受信器。
【請求項６】
受信器が所望のチャネルの搬送周波数と初期同期をとるための方法であって、
基準周波数を生成する工程と、
ローカル周波数を前記基準周波数から可変周波数分周を利用して生成する工程であって、前記ローカル周波数は、前記所望のチャネルの搬送周波数に少なくともほぼ一致する、工程と、
混合信号を生成するために、前記ローカル周波数を前記所望の搬送周波数と混合する工程と、
第１コントロール信号を前記基準周波数から生成する工程であって、その第１コントロール信号は前記混合信号を受信する時間ベースを表わす、工程と、
前記混合信号の受信の予想受信時点と前記混合信号の実際の発生時点間のスキューの大きさを測定する工程と、
前記確定されたスキューが所定のしきい値より大きいかどうかを確認して、もしそうならば、
補正分周比を前記可変周波数分周に対して設定し、
補正基準周波数を前記基準周波数に対して設定する工程と、
を含み、
前記補正分周比と前記補正基準周波数の設定は、前記補正分周比による前記可変周波数分周の補正と、前記補正基準周波数による前記基準周波数の補正が、前記ローカル周波数を変化させないように、それぞれ反対方向に行われる、ことを特徴とする方法。
【請求項７】
請求項６に記載の方法であって、
前記時間ベースが、前記スキューの大きさに従って調整される工程を有することを特徴とする方法。
【請求項８】
請求項７に記載の方法であって、
前記時間ベースの調整は、さらに前記補正基準周波数を考慮に入れながら、行われることを特徴とする方法。
【請求項９】
請求項６から８のいずれかに記載の方法であって、
前記ローカル周波数と前記所望の搬送周波数間の周波数オフセットの大きさを測定し、各々の設定基準周波数を前記決定された周波数オフセットに従って調整する工程をさらに有することを特徴とする方法。
【発明の詳細な説明】
【０００１】
【発明の属する技術分野】
本発明は、請求項１および６の前文に従って、所望の搬送周波数を有するアナログ信号を受信する受信器、特に初期同期を用いたＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎ）受信器、および、それに対応する方法に関する。
【０００２】
【従来の技術】
このような受信器およびこのような方法は、従来技術から知られ、図３および図４を参照して以下に詳細に述べられる。例えば、Ｇ．Ｆｒａｎｋ，  Ｗ．Ｋｏｃｈ，  “Ｉｎｉｔｉａｌ  ｓｙｎｃｈｒｏｎｉｚａｔｉｏｎ  ｏｆ  ａ  ｍｏｂｉｌｅ  ｓｔａｔｉｏｎ  ｉｎ  ｔｈｅ  Ｄ−ｎｅｔ”（ＰＫＩ  Ｔｅｃｈ．Ｊｏｕｒ．  １／１９９０  第４３ページ〜第４９ページ）で開示されている。
【０００３】
図３によると、アンテナ（図示せず）は、多数の無線チャネルを受信するために用いられ、これらのチャネルで、信号が一つ以上の基地局から受信される。例えば、受信チャネルは、２００ｋＨｚの搬送周波数の帯域のＧＳＭチャネルである。固定受信フィルタ１において、第１の工程は、当該入力チャネルの外に位置する周波数を抑制して、それにより、帯域通過信号ミクスチャがフィルタ１の出力に設けられるようにすることである。この帯域通過信号ミクスチャは、ミキサ２によって、ローカル生成周波数を用いて、複合ベースバンド信号にダウンミックスされるが、この複合ベースバンド信号は、同相成分と直交成分で構成されている。フェーズロックループ４乃至７は、基準周波数を分周する固定周波数分周器４、ローカル生成周波数を分周する可変周波数分周器５、位相比較器６、電圧コントロール発振器７で構成されて、ローカル周波数を生成するために、水晶基準発振器３に基づいて動作する。
【０００４】
可変周波数分周器５は、別の入力を有し、この入力は、図３および図４で別の矢印で示され、それを利用して、受信する所望のチャネル、特にその周波数、を事前設定することが可能である。
【０００５】
受信チャネルは、ミキサ２の出力において、下流のチャネル選択フィルタ、例えば、低域フィルタを使って、複合ベースバンド信号からフィルタで除去される。チャネル選択フィルタ８の出力信号は、以下、混合信号として表わされる。
【０００６】
電圧コントロール発振器７で生成されたローカル周波数が、無線信号で発生するチャネルの一つの搬送周波数にほぼ一致するならば、その関連チャネルが受信される。チャネル選択フィルタ８は、さらに混合信号のサンプリングを下流のアナログ／デジタルコンバータ９において可能にする。
【０００７】
水晶基準発振器３で生成された基準周波数は、ローカル周波数を電圧コントロール発振器の出力で生成するために使われるだけでなく、タイマ１０によって、タイムスロットの受信の受信時点とＡ／Ｄコンバータ９で用いられるサンプリング時点も固定する。
【０００８】
無線チャネルの時間ベースは、このようにして周波数ベースに直接結合されている。
【０００９】
無線チャネルの信号は、デジタル送信のために、例えば、ＧＭＳＫ（Ｇａｓｓｉａｎ  Ｍｉｎｉｍｕｍ  Ｓｈｉｆｔ  Ｋｅｙｉｎｇ）を用いて変調され、移動無線通信、とりわけ多重通路伝播によって減衰される。
【００１０】
データストリームは、例えばＧＳＭ方式において、連続するタイムスロットで構成され、そのタイムスロットに、瞬間チャネル特性の推定を可能にするトレーニングシーケンスが既知の位置で挿入されている。
【００１１】
チャネル特性は、イコライザー１１で、トレーニングシーケンスとの相関関係によって推定され、一つのタイムスロットの受信信号が、符号間干渉を考慮に入れて復調される。その出力で、イコライザー１１は、その後の処理のために、有用な情報をアンテナを介して受信された無線信号から提供する。
【００１２】
図４は、図３に係る受信器のより実用的な改善点を示し、図３に係る改善点とは時間調整器１２の増設と周波数調整器１３の増設の点でのみ異なる。
【００１３】
図４によると、イコライザー１１は、スキューを検出するスキュー検出器１１ａと受信信号内の周波数オフセットを検出する周波数オフセット検出器１１ｂを有する。ここで、スキューは、タイムスロットの始めにＡ／Ｄコンバータ９をスイッチオンする時点に関連し、周波数オフセットは、複合ベースバンド信号の搬送周波数０に関連する。
【００１４】
換言すれば、スキューは、受信信号におけるテストシーケンスの予想受信時点と実際の受信時点の時間差を表わす。ここで、予想受信時点は、時間ベースを定義する、コントロール信号で定められた初期時点と、ＧＳＭ方式であらかじめ定義された二つの連続するテストシーケンス間の時間間隔との時間差として算出される。
【００１５】
スキュー検出器１１ａで検出されたスキューは、時間調整器１２で評価され、第１調整信号を生成するために使われる。この第１調整信号は、タイマを調整するのに利用でき、従って、Ａ／Ｄコンバータ９での今後のタイムスロットの受信の初期時点を調整するのに利用できる。
【００１６】
スキュー検出器１１、時間調整器１２、Ａ／Ｄコンバータ９にサンプリング時点を連続的に決定する第一コントロール信号を送信するタイマ１０は、一緒に、シンボルクロックを再生する同期回路を形成する。
【００１７】
周波数オフセットは、装置１１ｂで検出された後、周波数調整器１３に送り込まれ、該周波数調整器１３は、デジタル／アナログコンバータ１４を介して水晶基準発振器３を調節するために、この周波数オフセットに基づいて、第２調整信号を提供する。発振器７で生成されたローカル周波数は、受信される所望のチャネルの搬送周波数にこうして同調される。
【００１８】
無線受信のセットアップは、原則として、強い信号を有するチャネルを探して周波数帯域をサーチし、最も強い信号と初期同期をとることで開始する。特定のチャネルを受信するために、可変周波数分周器５は、別々の入力を介して事前設定され、それにより、所望のチャネルの既知の搬送周波数を水晶基準発振器３の定常設定周波数分周器４によって下方に分周された公称周波数に同調するようにする。
【００１９】
まず、無線受信器は、Ａ／Ｄコンバータ１４からの任意に選択された被制御変数を用いて、任意の所望の時点で作動する。無線受信のセットアップの始めに、レベル測定がイコライザー１１で行われ、最後に、初期同期のために、強い受信レベルを有するチャネルに対して、比較的広い有効範囲を有する時間と周波数を推定する方法が使用される。時間調整器１２と周波数調整器１３が、ほんのわずかの偏移しか検出しない場合は、前述のイコライザー１１によって、データ受信への遷移がなされる。
【００２０】
【発明が解決しようとする課題】
図３および図４で述べた受信器は、無線受信のセットアップが、初期周波数の正確さが不十分な水晶基準発振器を使用した場合により困難になる、という問題点の影響を受ける。可変周波数分周器５を所望の受信チャネルに事前設定することは、水晶基準発振器３の初期周波数オフセットが不十分な場合に、発振器７の出力におけるローカル生成周波数が、所望のチャネルの搬送周波数ではなく隣接チャネルの搬送周波数に一致するという結果をもたらす。所望のチャネルの代わりに、ミキサ２とチャネル選択フィルタ８は、その隣接チャネルを受信する。しかし、この信号の初期同期とイコライザー１１は共にうまく評価されることができ、周波数オフセットが確立されないので、周波数調整器さえも基準発振器３のこの周波数オフセットを補正できない。
【００２１】
望まない隣接チャネルの受信にもかかわらず、その受信信号は、可変周波数分周器５と第２調整信号を調節することによって、強い信号を探して系統立ってなおサーチされることが可能である。さらに、受信信号の実際の搬送周波数を知らないで、初期同期とイコライゼーションの既知の方法を利用することも可能である。確かに、この場合、所望のチャネルの正しい搬送周波数は電圧コントロール発振器７の出力でローカル周波数として生成されるが、この正しい設定は、可変周波数分周器５と水晶基準発振器３の同時調整不良に基づく。さらに厳密に言うと、可変周波数分周器５の設定は、基準発振器３の公称周波数に対して正しい設定から外れる。
【００２２】
この状況は、以下のように、数学的に示される。
0004030771.tif 000002
ここで、以下が成立する。
ｆＨＦ＝電圧コントロール発振器の「正しい」周波数
ｆｐｈ＝位相比較周波数（通常、ＧＳＭで２００ｋＨｚ）
ｄｆ＝偏移（位相比較周波数における誤差）
ｎ＝可変周波数分周器の「正しい」分周比
【００２３】
分周比がｎ＋１またはｎ−１として選択されるならば、基準発振器３のマッチング誤差が電圧コントロール発振器ＶＣＯ（Ｖｏｌｔａｇｅ−Ｃｏｎｔｒｏｌｌｅｄ  Ｏｓｃｉｌｌａｔｏｒ）７の正しい周波数ということになり得る。
【００２４】
ＶＯＣ７の周波数は、常に位相比較周波数の倍数であり、位相比較周波数は、通常、ＧＳＭ方式で２００ｋＨｚになる。位相比較周波数は、定常設定周波数分周器４を用いて基準周波数を適切に分周することで、受信器において得られる。約９００または１８００ＭＨｚのＶＣＯ周波数が、ＧＳＭ方式でこのようにして生成される。
【００２５】
すでに上記に指摘したように、正しく生成されたローカル周波数のために、周波数オフセットが確立されず、従って、周波数オフセットは、可変周波数分周器５と基準発振器３の同時調整不良のインジケータとして利用できない。
【００２６】
しかし、基準発振器３で生成された基準周波数は、ローカル周波数を生成するだけでなく、タイマを駆動し、よって第１コントロール信号を生成するのにも役に立つ。この基準周波数の二重機能は、時間ベースと基準周波数との固定結合として上述された。
【００２７】
しかしながら、タイマ１０の駆動によって、初期周波数オフセットを有する質的に劣った基準発振器、つまり、その周波数が公称周波数からかなり外れる発振器は、第１コントロール信号を介してタイマ１０で定められるＡ／Ｄコンバータ９のサンプリングの時点で、時間のずれを生じる。受信されたタイムスロットの長さと比較して、これらの時間のずれは非常にわずかなものであり、従って、イコライザー１１で使用されるアルゴリズムの性能に関しては、ほとんど重要でない。さらに、イコライザー１１において、これらのずれを推定し、補償することが可能である。
【００２８】
しかし、これらの時間のずれが一定のしきい値を超えるとすぐに、時間のずれがもたらす影響は、特に約５０ｍｓという非常に長い時間間隔にわたって、明らかに顕著なものになる。この影響は、例えば、すべての基地局によってＧＳＭ方式で一定のタイムパターンで送信される同期メッセージ間に生じる。
【００２９】
この従来技術から始まって、本発明の目的は、従来技術から知られる上記の受信器とそれに関連した方法を、初期周波数オフセットを有する安価な基準発振器を使用した場合でさえも可変周波数分周器と基準周波数の同時調整不良を回避するように、そしてそれから生じる時間のずれの否定的影響を回避するように開発することにある。
【００３０】
【課題を解決するための手段】
この目的は、上述の受信器が、さらに
前記スキューが所定のしきい値を超えるかどうかを確認して対応する情報信号を出力するために、前記スキュー検出器の出力信号を受信する比較器と、
補正基準周波数を算出して、第２コントロール信号の形でＤ／Ａコンバータを介して前記基準発振器に出力し、補正分周比を算出して、第３コントロール信号の形で、可変周波数分周回路に出力して、これにより、前記基準発振器は前記補正基準周波数に設定され、前記周波数分周回路は前記補正分周比に設定されるようにし、前記補正基準周波数と前記補正分周比の算出と出力は、前記スキューが前記情報信号に従ってしきい値を超えるときにのみ行われる、評価器と、
を有することで、上述の受信器に対して達成される。
【００３１】
本発明に係る受信器のこの改善点は、基準周波数を生成するために、安価な基準発振器を使用することが可能であり、この発振器の基準周波数は、正確さに関してはわずかな要求のみ満たせばよいという利点を有する。この基準周波数の正確さに対するわずかな要求は、特に、安価なクリスタルの使用を可能にし、特定の用途に対しては、クリスタルの使用を完全に省くことさえ可能である。さらに、受信器の基準周波数の正確さに対するわずかな要求のために、高価な温度補償回路や時間のかかる調整操作も省くことができる。
【００３２】
本発明の第１実施形態によれば、時間調整器を用いて上述のスキューを補償することは望ましく、その時間調整器が、スキュー検出器の出力信号に従って、タイマに対して調整信号を生成することは望ましい。
【００３３】
また、時間調整器が、評価器によって出力された第２コントロール信号をさらに考慮に入れながら、タイマに対して調整信号を生成する場合、それは好適である。この場合、第２コントロール信号によって新たに再設定された基準周波数は、時間調整中、タイマに対する入力信号として考慮に入れられることが可能である。
【００３４】
さらに、受信器が、ローカル生成周波数と受信信号の搬送周波数間の周波数オフセットを検出する周波数オフセット検出器を有し、この周波数オフセットを補償する周波数調整器を有する場合は、望ましい。第２調整信号の生成中、周波数調整器は、周波数オフセットだけでなく第２コントロール信号も、基準発振器を新事前設定基準周波数に新たに事前設定するという万一の要求を満たすために、考慮に入れることは望ましい。
【００３５】
受信信号の予想受信時点と実際の受信時点は、受信信号に含まれて所定の時間間隔を有するテストシーケンスを参照して、定義されることは好適である。
【００３６】
本発明の目的は、さらに、請求項６から９に記載された方法によって、達成される。この方法の利点は、受信器について前述された利点に該当する。
【００３７】
【発明の実施の形態】
本発明に係る受信器の種々の実施形態を図１および図２を参照して以下に説明する。
【００３８】
図１は、本発明の第１実施形態を示し、受信器の構成要素１乃至１１の作用の設計と様式は、原則として、図３を参照して上述された従来技術の受信器のものと一致する。
【００３９】
図１に係る受信器は、さらにスキュー検出器１１ａ、比較回路１５、評価回路１６、Ｄ／Ａコンバータ１４を有し、それらの機能と従来技術の構成要素との協調性を以下に述べる。
【００４０】
上述のように、従来技術に係る初期同期の結果として、電圧コントロール発振器７が受信器で正しい周波数を確かに生成するが、誤ったチャネル割り当てを推定することによってそうすることが起こり得る。この誤ったチャネル割り当ては、上述のように、基準発振器が周波数偏移を有し、その周波数偏移が、正しい周波数がそれにもかかわらず発振器７の出力で生成されるような方法で、可変周波数分周器５の場合に、同時に誤って設定された分周係数で補償されることを意味する。
【００４１】
基準周波数の公称基準周波数からの偏移は、受信器、特に、時間ベースの変位における、上述の周波数ベースと時間ベースの固定結合により明らかになる。この時間ベースの変位は、受信信号の予想受信時点と実際の受信時点間のスキューに一致する。このスキューは、図３の従来技術に係る受信器の場合と、図１の本発明に係る受信器の場合の両方で発生する。しかし、従来技術と比べて、このスキューは、スキュー検出器１１ａで検出され、該スキュー検出器１１ａは、例えばイコライザー１１内で実現できる。
【００４２】
上述の周波数ベースと時間ベースの結合は、送信器で受信信号が生成される場合に、すなわち、ユーザが受信する前に、すでに存在し、信号の無線伝播中ほんのわずかだけ妨害される。従って、進みまたは遅れシステム時間の形で、または確認されたスキューの形で受信器で認められるこの結合の妨害は、先に実行された初期同期における誤ったチャネル割り当てを明瞭に指示するものであると仮定される。
【００４３】
換言すれば、確認されたスキューが、所定のしきい値を超える場合、可変周波数分周器５の誤って設定された分周比を示すものとして利用できる。本発明に係る比較回路１５は、測定されたスキューが所定のしきい値を上回るか下回るかどうかを確認するために設けられる。スキューがしきい値を下回る場合、すなわち、周波数ベースと時間ベースの結合がほんのわずかだけ妨害される場合、これは、おそらく無線伝播中に発生したと推定され、従って、受信器内の誤ったチャネル割り当てを推測することは必ずしも可能でない。一方、確認されたスキューが、しきい値より大きい、すなわち、妨害された無線伝播によってのみ生じたものより大きい場合、本発明によれば、誤ったチャネル割り込みがあると推定される。
【００４４】
このようなスキューの評価は、本発明に係る評価回路１６で行われる。確認されたスキューの大きさに基づいて、補正分周比を算出し、それを第３コントロール信号の形で可変周波数分周器５に送信する。評価回路１６は、さらに確認されたスキューを補正基準周波数を算出するのに用いて、それを第２コントロール信号の形でＤ／Ａコンバータ１４を経由して基準発振器３に送信する。可変周波数分周器５の入力５’’’による分周器の補正および第２コントロール信号による基準周波数の補正は、理想的に言えば、可能な限り、電圧コントロール発振器７で生成された正しいローカル周波数が変化しないように、それぞれ反対方向に同時に精密に行われ、その結果、受信信号内の所望のチャネルの搬送周波数と受信器の適切な同期がこのようにして保証される。
【００４５】
図２は、本発明に係る受信器の第２実施形態を示し、その設計と作用の基本的な様式に関しては、従来技術で知られる図４の受信器に一致する。特に、これは、時間調整器１２と周波数調整器１３にも当てはまる。
【００４６】
しかしながら、従来技術と比べて、図２による本発明に係る受信器は、比較回路１５と評価回路１６を有し、それらの機能についてはすでに図１を参照してこれまでに説明した。しかし、図２による受信器の第２実施形態において、評価回路１６で生成された第２コントロール信号は、ここでは、時間調整器１２と周波数調整器１３両方に対する第２入力変数として利用できる。このようにして、時間調整器１２で生成される第１調整信号と周波数調整器１３で生成される第２調整信号が共に、補正されるべき基準発振器３の基準周波数を考慮に入れながら、生成される。より明確には、本実施形態に係る第２調整信号は、基準発振器３の事前設定の新しい基準周波数への補正と、その後の新しく事前設定された基準周波数の補正の両方に利用できる。
【００４７】
本発明の基本的な概念を、高周波送信の搬送周波数、すなわち、受信信号の搬送周波数とデジタル変調のシンボルクロックの周波数が共に、受信器を同期化するために使用されると定義できる。
【００４８】
スキュー検出器１１は、各場合の理想的な位置と比較してシンボルのサンプリング時の変位を確認し、十分に長時間にわたって平均を取られたスキューを時間調整器１２と比較回路１５に信号で送る。小さなスキューは、従来技術よれば、時間調整器１２によってシンボルクロックを再生するためにだけ用いられる。しかし、比較回路１５において、しきい値を超える場合は、基準発振器３をコントロールするために、可変周波数分周器５とＤ／Ａコンバータ１４の改善設定が評価回路１６で算出される。
【００４９】
時間調整器１２と周波数調整器１３がすでに確定されているかどうかは、受信信号内の第３同期メッセージを受信して評価することによって確認され得る。
【００５０】
本発明に係る比較回路１５と評価回路１６は、可変周波数分周器５の分周比と基準発振器３の基準周波数が受信器の第１または第２実施形態のいずれかで補正され、受信器の同期が達成された後、作動を止めることができる。これらの構成要素１５と１６を再びアクティブな状態にすることは、完全に無線受信をセットアップする必要があるまで、すなわち、例えば、すべての受信接続の非常に長い割り込みの後まで、再び必要ない。
【図面の簡単な説明】
【図１】図１は、本発明の第１実施形態に係る受信器を示す。
【図２】図２は、本発明の第２実施形態に係る受信器を示す。
【図３】図３は、従来技術の第１実施形態に係る受信器を示す。
【図４】図４は、従来技術による第２の実施形態に係る受信器を示す。
【符号の説明】
１  フィルタ
２  ミキサ
３  水晶基準発振器
４  定常設定周波数分周器
５  可変周波数分周器
６  位相比較器
７  電圧コントロール発振器
８  チャネル選択フィルタ
９  Ａ／Ｄコンバータ
１０  タイマ
１１ａ  スキュー検出器
１５  比較回路
１６  評価回路
【図１】
0004030771.tif 000003
【図２】
0004030771.tif 000004
【図３】
0004030771.tif 000005
【図４】
0004030771.tif 000006